(57)【特許請求の範囲】
【請求項１】
表面プラズモン共鳴を利用して検体を分析する分析装置に用いられる分析チップに含まれ、光学素子本体と、前記光学素子本体の所定の面の面上に設けられる表面プラズモン共鳴を生じさせる金属膜と、前記金属膜の表面に固定される生理活性物質と、を備える光学素子を、前記金属膜及び前記生理活性物質を保存液に接触させることで保存する保存方法であって、
前記保存液は、前記生理活性物質の活性を維持すると共に、水分子よりも大きな分子サイズを有する物質のみから成ることを特徴とする光学素子の保存方法。
【請求項２】
前記保存液は、極性の溶液、２価のアルコール、及び３価のアルコールのいずれかであることを特徴とする請求項１に記載の光学素子の保存方法。
【請求項３】
前記光学素子の金属膜は、金、銀、及びアルミニウムのいずれかで構成されることを特徴とする請求項１又は２に記載の光学素子の保存方法。
【請求項４】
前記光学素子の金属膜は、３０〜７０ｎｍの厚さを有することを特徴とする請求項１乃至３のいずれか１項に記載の光学素子の保存方法。
【請求項５】
前記光学素子は、前記保存液に浸漬された状態で保存されることを特徴とする請求項１乃至４のいずれか１項に記載の光学素子の保存方法。
【請求項６】
表面プラズモン共鳴を利用して検体を分析する分析装置に用いられ、光学素子本体と前記光学素子本体の所定の面の面上に設けられる表面プラズモン共鳴を生じさせる金属膜と前記金属膜の表面に固定される生理活性物質とを有する光学素子と、この光学素子と共同して前記検体を含む試料溶液が流れる流路を形成する流路部材と、を備える分析チップを、前記金属膜及び前記生理活性物質を保存液に接触させることで保存する保存方法であって、
前記保存液は、前記生理活性物質の活性を維持すると共に、水分子よりも大きな分子サイズを有する物質のみから成ることを特徴とする分析チップの保存方法。
【請求項７】
前記保存液は、極性の溶液、２価のアルコール、及び３価のアルコールのいずれかであることを特徴とする請求項６に記載の分析チップの保存方法。
【請求項８】
前記分析チップは、前記保存液に浸漬させた状態で保存されることを特徴とする請求項６又は７に記載の分析チップの保存方法。
【請求項９】
前記分析チップは、前記流路内に前記保存液を封入することにより保存されることを特徴とする請求項６又は７に記載の分析チップの保存方法。
【発明の詳細な説明】
【技術分野】
【０００１】
本発明は、表面プラズモン共鳴（Surface Plasmon Resonance：ＳＰＲ）の共鳴角の変化に基づいて検体を分析する表面プラズモン共鳴分析装置、又は表面プラズモン共鳴によって生じたエバネッセント波を用いて検体又は検体に標識された蛍光物質を発光させ、この蛍光を測定することにより検体の分析を行う表面プラズモン共鳴蛍光分析装置に用いられる分析チップの保存方法、この分析チップに含まれる光学素子の保存方法、及び光学素子を保存するための保存液に関する。
【背景技術】
【０００２】
従来から、タンパク質やＤＮＡ等を検出するバイオ測定等のような試料溶液に含まれる極微量の検体等を定量分析する方法として、表面プラズモン共鳴を利用した様々な分析方法が開発されている。これらの分析方法では、その殆どがプリズム上に金属膜を成膜したいわゆるクレッチマン配置の分析チップが用いられ、この分析チップにおける表面プラズモン共鳴の共鳴角の変化や表面プラズモン共鳴に基づく金属膜近傍の増強電場を利用することにより、試料溶液中の極微量の検体等の分析が高感度且つ高精度に行われる（特許文献１参照）。
【０００３】
具体的に、分析チップは、図１１に示されるように、光学素子１１１と、この光学素子１１１と共同して試料溶液が流れる流路１１６を形成する流路部材１１７とを備える。光学素子１１１は、ガラスや樹脂で形成されるプリズム１１２と、このプリズム１１２の所定の面１１２ｂの面上に成膜される金属膜１１３と、を有する。
【０００４】
この分析チップ１１０のプリズム１１２に励起光を入射させて所定の面１１２ｂの面上の金属膜１１３でこの励起光を全反射させると、ある入射角において金属膜１１３の表面近傍の電場が大きく増強される。これは、励起光がある入射角（共鳴角）で金属膜１１３に入射することにより、金属膜１１３において表面プラズモン共鳴が生じ、これにより金属膜１１３の表面近傍の電場が大きく増強されるからである。この現象が金属膜１１３の表面における屈折率の変化に対して高感度に応答するため、これを利用することにより金属膜１１３上を流れる試料溶液中に存在する極微量の物質の検出が可能となる。
【先行技術文献】
【特許文献】
【０００５】
【特許文献１】特許第４３７０３８３号公報
【発明の概要】
【発明が解決しようとする課題】
【０００６】
上記の表面プラズモン共鳴を利用した分析方法は、極微量の特定の物質を高感度且つ高精度に検出できることから、例えば、早期ガンの診断などの医療分野等への応用が考えられている。このような分野では、免疫反応等を利用して試料溶液中の特定の物質（例えば、腫瘍マーカー等の検体）の検出を行うため、この特定の物質を捕捉することができる生理活性物質（抗体等）１１２ａが光学素子１１１の金属膜１１３の表面に固定される。このような分析チップ１１０、又はこの分析チップ１１０を構成する光学素子１１１を保存する場合には、生理活性物質１１２ａの活性を維持するために当該生理活性物質１１２ａが多湿環境下におかれた状態又は液体に接した状態でなければならない。即ち、生理活性物質１１２ａが固定された金属膜１１３が多湿環境下又は液体と接触した状態で分析チップ１１０又は光学素子１１１を保存しなければならない。
【０００７】
光学素子１１１の金属膜１１３は、表面プラズモン共鳴を生じさせる必要からその膜厚が数十ｎｍレベルの薄膜であり、一般に金属薄膜は、水分の付着により膜浮きが発生して劣化することが知られている。そのため、金属膜１１３が多湿環境下におかれた状態又は液体と接触した状態で当該光学素子１１１が数ヶ月間保存されると、水分が金属膜１１３とプリズム１１４との間に浸入して膜浮き（図１０（Ｂ）参照）が生じる場合がある。分析チップ１１０において金属膜１１３にこのような欠陥が生じると、極微量の物質を高感度且つ高精度に検出できない。
【０００８】
そこで、本発明は、金属膜に膜浮きが生じることを抑制し且つその表面に固定された生理活性物質の活性を維持することができる光学素子の保存方法、及び光学素子を含む分析チップの保存方法を提供することを課題とする。
【課題を解決するための手段】
【０００９】
そこで、上記課題を解消すべく、本発明は、表面プラズモン共鳴を利用して検体を分析する分析装置に用いられる分析チップに含まれ、光学素子本体と、前記光学素子本体の所定の面の面上に設けられる表面プラズモン共鳴を生じさせる金属膜と、前記金属膜の表面に固定される生理活性物質と、を備える光学素子を、前記金属膜及び前記生理活性物質を保存液に接触させることで保存する保存方法であって、前記保存液は、前記生理活性物質の活性を維持すると共に、水分子よりも大きな分子サイズを有する物質のみから成ることを特徴とする。
【００１０】
本発明によれば、金属膜に膜浮きが生じることを抑制し且つ生理活性物質の活性を維持した状態で光学素子を長期間保存することが可能となる。即ち、光学素子の金属膜及びこれに固定される生理活性物質を保存液に接触させることにより、生理活性物質の活性が維持され、しかも、保存液の分子サイズが水の分子サイズよりも大きいため金属膜と光学素子本体との間に保存液が浸入しない。
【００１１】
例えば具体的に、前記保存液が、極性の溶液、２価のアルコール、及び３価のアルコールのいずれかであれば、生理活性物質の活性を好適に維持し且つ金属膜に膜浮きが生じることを効果的に防ぎつつ光学素子を長期間保存することができる。
【００１２】
特に、前記光学素子の金属膜が、金、銀、及びアルミニウムのいずれかで構成される場合や、前記光学素子の金属膜が３０〜７０ｎｍの厚さを有する場合に、金属膜が水に接した状態で当該光学素子が長期間保存されると金属膜の膜浮きが顕著に現れるが、水の分子サイズよりも大きな分子サイズを有する当該保存液によって当該光学素子を保存することによって、金属膜に膜浮きの発生を抑えつつ長期間保存することができる。
【００１３】
尚、前記光学素子は、前記保存液に浸漬された状態で保存されることが好ましい。このように光学素子を保存液に浸漬することで、容易且つ確実に光学素子の金属膜及び生理活性物質を保存液に接触させることができる。
【００１４】
また、上記課題を解消すべく、本発明は、表面プラズモン共鳴を利用して検体を分析する分析装置に用いられ、光学素子本体と前記光学素子本体の所定の面の面上に設けられる表面プラズモン共鳴を生じさせる金属膜と前記金属膜の表面に固定される生理活性物質とを有する光学素子と、この光学素子と共同して前記検体を含む試料溶液が流れる流路を形成する流路部材と、を備える分析チップを、前記金属膜及び前記生理活性物質を保存液に接触させることで保存する保存方法であって、前記保存液は、前記生理活性物質の活性を維持すると共に、水分子よりも大きな分子サイズを有する物質のみから成ることを特徴とする。
【００１５】
本発明によれば、金属膜に膜浮きが生じることを抑制し且つ生理活性物質の活性を維持した状態で光学素子を長期間保存することが可能となる。即ち、分析チップの金属膜及びこれに固定された生理活性物質を保存液に接触させることにより、生理活性物質の活性が維持され、しかも、保存液の分子サイズが水の分子サイズよりも大きいため金属膜と光学素子本体との間に保存液が浸入しない。
【００１６】
例えば具体的に、前記保存液が、極性の溶液、２価のアルコール、及び３価のアルコールのいずれかであれば、生理活性物質の活性を好適に維持し且つ金属膜に膜浮きが生じることを効果的に防ぎつつ分析チップを長期間保存することができる。
【００１７】
この場合、前記分析チップは、前記保存液に浸漬させた状態で保存されてもよく、また、前記分析チップは、前記流路内に前記保存液を封入することにより保存されてもよい。
【００１８】
いずれの場合でも流路内に保存液が入った状態で分析チップが保存されるため、生理活性物質の活性を維持することができる。
【発明の効果】
【００２２】
以上より、本発明によれば、金属膜に膜浮きが生じることを抑制し且つその表面に固定された生理活性物質の活性を維持することができる光学素子の保存方法、及び光学素子を含む分析チップの保存方法を提供することができる。
【図面の簡単な説明】
【００２３】
【図１】本実施形態に係る光学素子の概略構成を示す拡大縦断面図である。
【図２】前記光学素子の分解斜視図である。
【図３】前記光学素子を含む分析チップの斜視図である。
【図４】図３のＩＶ−ＩＶ拡大端面図である。
【図５】前記分析チップの分解斜視図である。
【図６】前記光学素子の保存方法を説明するための図である。
【図７】（Ａ）は他実施形態に係る光学素子の斜視図であり、（Ｂ）は図７（Ａ）のＶＩＩＢ−ＶＩＩＢ拡大端面図である。
【図８】前記光学素子を用いた分析チップの概略構成を示す拡大縦断面図である。
【図９】本実施形態の光学素子を保存液に浸漬した前後の金属膜表面の拡大図であって、（Ａ）は保存液に浸漬する前の拡大図であり、（Ｂ）は保存液に１００時間浸漬した後の同じ位置の拡大図である。
【図１０】本実施形態の光学素子を水に浸漬した前後の金属膜表面の拡大図であって、（Ａ）は水に浸漬する前の拡大図であり、（Ｂ）は水に１００時間浸漬した後の同じ位置の拡大図である。
【図１１】従来の分析素子チップの概略構成を示す拡大縦断面図である。
【発明を実施するための形態】
【００２４】
以下、本発明の一実施形態について、添付図面を参照しつつ説明する。
【００２５】
先ず、本実施形態において保存液によって保存される光学素子とこの光学素子を含む分析チップについて、図１乃至図５を参照しつつ説明する。
【００２６】
本実施形態に係る分析チップ２０、及びこの分析チップ２０に含まれる光学素子１０は、表面プラズモン共鳴の共鳴角の変化に基づいて検体を分析する分析装置や、検体若しくは検体に標識された蛍光物質が表面プラズモン共鳴に基づく増強電場により励起されて発した蛍光を測定する分析装置等に用いられる、いわゆるクレッチマン配置のセンサーチップである。
【００２７】
以下、具体的に説明する。
【００２８】
<光学素子>
光学素子１０は、内部に入射した励起光を所定の面１３で反射する光学素子本体１１と、この光学素子本体１１の所定の面１３の面上に設けられる金属膜１５と、金属膜１５の表面（光学素子本体１１と反対側の面）１５ａに固定される生理活性物質１６と、を備える（図１及び図２参照）。尚、図中の生理活性物質１６は、模式的に描いたもので、生理活性物質の構造を表すものではない。
【００２９】
光学素子本体１１は、当該分析チップ２０が表面プラズモン共鳴蛍光分析装置等に設置されて検体の分析を行うときに、当該装置の光源（図示省略）からの励起光を内部に入射させる入射面１２と、この内部に入射した励起光を当該面上に形成された金属膜１５で反射する反射面（所定の面）１３と、反射面１３（詳しくは、反射面１３上の金属膜１５）で反射された励起光を光学素子本体１１の外部に出射する出射面１４とをその表面に含む。この光学素子本体１１は、透明なガラス又は樹脂により形成されており、本実施形態では、プリズムが用いられる。
【００３０】
尚、プリズム（光学素子本体）１１は、本実施形態のように断面形状が台形（図１参照）でなくてもよい。プリズム１１は、入射面１２と反射面１３と出射面１４とをその表面に含み、入射面１２から内部に入射した励起光が反射面１３（詳しくは、反射面１３上の金属膜１５）で全反射し、この全反射した励起光が内部で乱反射せずに出射面１４から外部に出射されるような形状であればよい。
【００３１】
金属膜１５は、プリズム１１の反射面１３の面上に成膜（形成）された金属製の薄膜である。具体的に、金属膜１５は、金（Ａｕ）、銀（Ａｇ）、及びアルミニウム（Ａｌ）のいずれかで構成される。この金属膜１５は、光学素子１０において金属膜１５で励起光が全反射されることにより生じるエバネッセント波を増幅するための部材である。即ち、反射面１３上に金属膜１５を設けて表面プラズモン共鳴を生じさせることにより、金属膜１５の設けられていない反射面において励起光を全反射させてエバネッセント波を生じさせた場合に比べ、反射面１３の表面近傍に形成される電場を増強させることができる。
【００３２】
尚、金属膜１５は、表面プラズモン共鳴を生じさせることができるように膜厚が１００ｎｍ以下の薄膜であり、好ましくは膜厚が３０〜７０ｎｍとなるように反射面１３上に成膜される。
【００３３】
生理活性物質１６は、試料溶液に含まれる検体（特定の抗原等）を捕捉するためのものであり、金属膜１５の表面１５ａに固定されている。本実施形態では、生理活性物質１６として抗体が用いられる。この生理活性物質１６は、表面処理によって金属膜１５の表面１５ａに固定される。具体的に、生理活性物質１６は、金属膜１５の表面１５ａにおいて、プリズム１１が流路部材２１と共同して流路２２を形成したときにこの流路２２を流れる試料溶液と接する領域に固定される。この金属膜１５に固定された生理活性物質１６は、乾燥すると活性を示さなくなるが、多湿環境下又は液体と接した状態で保存すれば、活性が維持される。
【００３４】
<分析チップ>
分析チップ２０は、上記の光学素子１０と、この光学素子１０と共同して検体を含む試料溶液が流れる流路２２を形成する流路部材２１を備える（図３乃至図５参照）。
【００３５】
流路部材２１は、プリズム１１の反射面１３上（詳しくは、金属膜１５上）に設けられ、プリズム１１と共同して流路２２を形成する。この流路部材２１は、透明な樹脂により形成される。本実施形態の流路部材２１は、水平方向に拡がる板状の部材である。流路２２は、抗原抗体反応が行われる検出部２２ａと、分析チップ２０の外部から検出部２２ａへ試料溶液を案内し、又は検出部２２ａから外部へ試料溶液を案内する案内部２２ｂとから成る。検出部２２ａは、流路部材２１の裏面（図４において下側の面）２１ｂに設けられた溝とプリズム１１上の金属膜１５とにより囲まれている。即ち、この検出部２２ａでは、試料溶液が金属膜１５の表面（生理活性物質１６が固定されている面）１５ａと接しつつ流れる。各案内部２２ｂは、一方の端部が流路部材２１の表面（図４において上側の面）２１ａで開口し、他方の端部（前記一方の端部と反対側の端部）が検出部２２ａと接続されている。このように案内部２２ｂと検出部２２ａと案内部２２ｂとが順に繋がることで、一本の流路２２が形成される。
【００３６】
また、流路部材２１は、流路２２を構成する裏面２１ｂの溝内にシール部材２５を有する。このシール部材２５は、流路部材２１を金膜１５側から光学素子１０に接合させたときに、検出部２２ａを水平方向から囲み且つ流路部材２１の裏面２１ｂの溝内面と光学素子１０の金属膜１５とに密着し、これにより、流路部材２１と光学素子１０との接合部位からの試料溶液の漏れを防止する。本実施形態のシール部材２５は、Ｏリングであが、これに限定されない。
【００３７】
流路部材２１は、その裏面２１ｂがプリズム１１の反射面１３（詳しくは、金属膜１５）に圧着された状態で光学素子１０と接合されている。
【００３８】
以上のような光学素子１０やこの光学素子１０を含む分析チップ２０において、金属膜１５に固定された生理活性物質１６が乾燥して活性を示さなくなると検体を補足できなくなる。そのため、これら光学素子１０や分析チップ２０を保存する際には、生理活性物質１６の活性を維持するために当該生理活性物質１６が多湿環境下におかれ状態、又は生理活性物質１６が液体と接するような状態で保存しなければならない。
【００３９】
例えば、図６に示されるように、保存液５０に光学素子１０や分析チップ２０を浸漬させた状態で保存する。また、分析チップ２０の場合には、流路２２内に保存液を封入することによって流路２２内を多湿環境下若しくは保存液で満たされた状態にし、これにより、保存時の生理活性物質１６の活性を維持するようにしてもよい。
【００４０】
この保存液５０は、生理活性物質１６の活性を維持し且つ水分子よりも大きな分子サイズを有する物質から成る。具体的に、保存液５０として、極性の溶液、２価のアルコール、及び３価のアルコールのいずれかが用いられる。尚、この保存液５０には、水や水分子よりも分子サイズの小さな物質は含まれていない。
【００４１】
具体的に、極性の溶液としては、例えば、エタノール、プロパノール、ブタノール、ペンタノール、アセトン、アセトニトリル等が用いられる。また、２価のアルコールとしては、例えば、エチレングリコール、プロピレングリコール、ジエチレングリコール等が用いられる。また、３価のアルコールとしては、例えば、グリセリン、プロパンジオール等が用いられる。
【００４２】
このような保存液５０を用いて光学素子１０又は分析チップ２０を保存することにより、金属膜１５に膜浮きが生じることを抑制し且つ生理活性物質１６の活性を維持した状態で光学素子１０又は分析チップ２０を長期間保存することが可能となる。即ち、光学素子１０又は分析チップ２０を保存液５０に浸漬等することによって生理活性物質１６の固定された金属膜１５が保存液５０と接するため、生理活性物質１６の活性が維持され、しかも、保存液５０の分子サイズが水の分子サイズよりも大きいことで金属膜１５とプリズム（光学素子本体）１１との間に保存液５０が浸入することが防がれる。これにより、光学素子１０又は分析チップ２０における金属膜１５の膜浮き（図１０（Ｂ）参照）が抑制され、当該光学素子１０を用いた分析チップ２０を用いた検体の分析において、この膜浮きに起因する検体の検出精度の低下を防止することができる。
【００４３】
尚、本実施形態における膜浮きとは、金属膜１５に穴等が生じていなくても、金属膜１５とプリズム（光学素子本体）１１との間に液体が浸入し、これにより、部分的に金属膜１５が反射面１３から離間して隆起した状態のことをいう。
【００４４】
尚、本発明の光学素子の保存方法、光学素子を含む分析チップの保存方法、及び光学素子を保存するための保存液は、上記実施形態に限定されるものではなく、本発明の要旨を逸脱しない範囲内において種々変更を加え得ることは勿論である。
【００４５】
例えば、上記実施形態では、保存液５０として、極性の溶液、２価のアルコール、及び３価のアルコールのいずれかを用いているが、これに限定されない。即ち、保存液５０は、生理活性物質１６の活性を維持し且つ水分子より大きな分子サイズを有する物質から成る溶液であれば、他の溶液が用いられてもよい。
【００４６】
また、上記実施形態では、光学素子１０全体が保存液５０中に沈んだ状態で当該光学素子１０が保存されているが、少なくとも、生理活性物質１６及び金属膜１５の生理活性物質１６が固定された部位が保存液５０に接するように光学素子１０が保存されていればよい。
【００４７】
また、上記実施形態では、上記の保存液５０を用いてプリズム１１上に金属膜１５が設けられた光学素子１０を保存しているが、当該保存液５０での保存対象である光学素子１０の具体的構成は限定されない。例えば、基板状の光学素子でもよい。具体的に、この光学素子は、図７（Ａ）及び図７（Ｂ）示されるように、透明な板状の基板１１Ａと、この基板１１Ａの一方の面１３Ａの面上に設けられる金属膜１５とを有する。この基板１１Ａは、図８に示されるように、プリズム１１の所定の面１３の面上に当該基板１１Ａの一方の面１３Ａが当該プリズム１１と反対側を向くように配置される。この状態で、基板１１Ａの一方の面１３Ａ側から流路部材２１を当接させることにより当該流路部材２１と共同して試料溶液の流れる流路２２を形成する。これにより、分析チップ２０Ａが構築される。このとき、この光学素子１０Ａは、金属膜１５がプリズム１１と反対側を向くように当該プリズム１１の所定の面１３の面上にマッチングオイルｍを介して配置される。
【００４８】
また、光学素子を構成するプリズム１１や基板１１Ａの材料は限定されないが、光学ガラスや光学樹脂であることが好ましい。
【００４９】
また、プリズム１１や基板１１Ａ上への金属膜１５の具体的な形成方法は限定されない。上記実施形態では、真空成膜法によって金属膜１５がプリズム１１上に形成されているが、厚さが３０〜７０ｎｍ程度の薄膜をプリズム１１や基板１１Ａ上の所定位置に形成できれば、他の成膜法であってもよい。
【実施例１】
【００５０】
ここで、上記実施形態の保存液５０を用いた光学素子１０又は分析チップ２０の保存方法を評価するために、同じ光学素子１０（即ち、反射面１３上に金属膜１５が設けられたプリズム１１）を上記実施形態の保存液５０と、水とにそれぞれ所定時間浸漬し、その前後で金属膜１５の表面１５ａを光学顕微鏡によって観察した。以下、具体的に説明する。
【００５１】
先ず、ＢＫ７（白板ガラス）製のプリズム１１の反射面１３の面上にプラズマ支援型スパッタ法によって５０ｎｍの金膜（金属膜）１５を成膜して光学素子１０を２個作成した。一方の光学素子１０を極性の溶液であるアセトン（保存液）に室温（２３度）下で１００時間浸漬すると共に、他方の光学素子１０を水に室温（２３度）下で１００時間浸漬した。各光学素子１０の金属膜１５の表面１５ａを、保存液５０又は水への浸漬前と浸漬後とで光学顕微鏡によりそれぞれ観察した。
【００５２】
その結果、アセトンに浸漬した光学素子１０では、浸漬の前後共に金膜１５に膜浮きを発見することができなかった（図９（Ａ）及び図９（Ｂ）参照）。一方、水に浸漬した光学素子１０では、浸漬前には金膜１５に膜浮きを発見することができなかったが（図１０（Ａ）参照）、浸漬後には金膜１５に複数の島状の膜浮きが認められた（図１０（Ｂ）参照）。
【００５３】
この結果から、極性の溶液であるアセトンを用いて光学素子１０又は分析チップ２０を保存することによって、金属膜１５の膜浮きを抑えることができることが確認できた。
【実施例２】
【００５４】
実施例１と同じ光学素子１０を２個用い、一方の光学素子１０を２価のアルコールであるエチレングリコール（保存液）に室温（２３度）下で１００時間浸漬すると共に、他方の光学素子１０を水に室温（２３度）下で１００時間浸漬した。各光学素子１０の金膜１５の表面１５ａを、保存液５０又は水への浸漬前と浸漬後とで光学顕微鏡によりそれぞれ観察した。
【００５５】
その結果、エチレングリコールに浸漬した光学素子１０では、浸漬の前後共に金膜１５に膜浮きを発見することができなかった。一方、水に浸漬した光学素子１０では、第１実施例同様に、浸漬前には金膜１５に膜浮きを発見することができなかったが、浸漬後には金膜１５に複数の島状の膜浮きが認められた。
【００５６】
この結果から、２価のアルコールを用いて光学素子１０又は分析チップ２０を保存することによって、金属膜１５の膜浮きを抑えることができることが確認できた。
【実施例３】
【００５７】
実施例１と同じ光学素子１０を２個用い、一方の光学素子１０を３価のアルコールであるグリセリン（保存液）に室温（２３度）下で１００時間浸漬すると共に、他方の光学素子１０を水に室温（２３度）下で１００時間浸漬した。各光学素子１０の金膜１５の表面１５ａを、保存液５０又は水への浸漬前と浸漬後とで光学顕微鏡によりそれぞれ観察した。
【００５８】
その結果、グリセリンに浸漬した光学素子１０では、浸漬の前後共に金膜１５に膜浮きを発見することができなかった。一方、水に浸漬した光学素子１０では、第１及び第２実施例同様に、浸漬前には金膜１５に膜浮きを発見することができなかったが、浸漬後には金膜１５に複数の島状の膜浮きが認められた。
【００５９】
この結果から、３価のアルコールを用いて光学素子１０又は分析チップ２０を保存することによって、金属膜１５の膜浮きを抑えることができることが確認できた。
【符号の説明】
【００６０】
１０，１０Ａ  光学素子
１１   プリズム（光学素子本体）
１１Ａ 基板
１３，１３Ａ  反射面（所定の面）
１５   金属膜
１５ａ 金属膜の表面
１６   生理活性物質
２０，２０Ａ  分析チップ
２１   流路部材
２２   流路
５０   保存液
【図１】
0005614260.tif 000002
【図２】
0005614260.tif 000003
【図３】
0005614260.tif 000004
【図４】
0005614260.tif 000005
【図５】
0005614260.tif 000006
【図６】
0005614260.tif 000007
【図７】
0005614260.tif 000008
【図８】
0005614260.tif 000009
【図９】
0005614260.tif 000010
【図１０】
0005614260.tif 000011
【図１１】
0005614260.tif 000012